(57)【要約】【課題】酸化焼成に加えバーナーの還元炎、還元材、その双方を使用する３種類の還元焼成を可能にする陶芸用電気窯を提供する。【解決手段】耐火断熱材にて囲った炉の内壁に装着した電熱線にて炉内を加熱する陶芸用電気窯において、炉内底には断面矩形の凹状溝を炉外面まで直線状に形成し、該凹状溝には断面が溝の断面に等しく、長さが溝長さの約１／３である断熱ブロックを前記凹状溝の炉外への開口部を塞ぐ形で挿脱可能に挿入、載置する。凹状溝の中央には必要に応じて還元材を入れたトレイを載置する。一方の断熱ブロックには貫通孔を設けておき炉外のバーナーで発生させた還元炎を必要に応じて炉内に送り込む。  【選択図】図１
0003173519.tif 000002
【実用新案登録請求の範囲】
【請求項１】
耐火断熱材にて囲った炉の内壁に装着した電熱線にて炉内を加熱する陶芸用電気窯であって、
該炉の炉内底には断面矩形の凹状溝が炉外面まで直線状に形成してあり、
該凹状溝には、断面が溝の断面に等しく、長さが溝長さの約１／３である断熱ブロックが凹状溝の炉外への開口部を塞ぐ形で挿脱可能に挿入、載置されていることを特徴とする陶芸用電気窯。
【請求項２】
請求項１に記載の陶芸用電気窯において、前記凹状溝の中央部には還元剤を入れる耐火材製のトレイが前記一方の開口部を通して挿入、載置されていることを特徴とする陶芸用電気窯。
【請求項３】
請求項１又は２に記載の陶芸用電気窯において、前記断熱ブロックの一方には長手方向に貫通する貫通孔が形成してあり、炉外に設置したバーナーで発生させた還元炎を該貫通孔を通して炉内に導入できるように構成されていることを特徴とする陶芸用電気窯。
【考案の詳細な説明】
【技術分野】
【０００１】
本考案は陶芸作品を焼成する陶芸用電気窯に関し、特には酸化焼成に加え３種類の方法での還元焼成も可能にした陶芸用電気窯に関する。
【背景技術】
【０００２】
陶芸作品には釉薬を使用しない作品もあるが、釉薬を用いる作品は釉薬を表面に施した後１２００〜１３００℃の高温で焼成される。焼成には酸化雰囲気中で行なう酸化焼成と、還元雰囲気中で行なう還元焼成がある。同じ釉薬を用いても釉薬に含まれる鉄分、銅分等が酸化されるか、還元されるかにより作品の色合いが異なってくる。
【０００３】
焼成にはガス窯、灯油窯を使用する方法もあるが、簡便な方法として還元焼成機能が付与された電気窯を使用する方法がある。電気窯で還元焼成を行なうには炉内雰囲気を還元性にする手段が必要となる。その手段としてはバーナーを使用して還元炎を炉内に送出する方法、木炭、コークス等を炉内で不完全燃焼させて一酸化炭素を発生させる方法等がある。
【０００４】
図７はバーナーで発生させた還元炎を用いる電気窯の構成例である。耐火煉瓦などの断熱材で炉を構成し、壁面に電熱線５０を埋め込む。炉底下面側にはバーナー５１を取り付け、発生させた還元炎を炉底に設けた火口５２を通して炉内に送り込む。送り込まれた還元炎は炉内の酸素を消費して雰囲気を還元性にする。
【０００５】
木炭、コークス等を炉内で不完全燃焼させる方法としては、例えば、特許文献１に開示されている電気窯がある。この電気窯の場合は炉底下面側に木炭、コークス等を入れる小室を設け、炉底に設けたスリットにて炉本体空間と連通させておく。小室に木炭、コークス等を入れて炉本体の熱により不完全燃焼させる。発生した一酸化炭素はスリットを通って炉内に流れ、雰囲気を還元性にする。
【０００６】
このように電気窯内の雰囲気を還元性にする代表的方法には、バーナーを用いる方法と、炭等の還元材を使用する方法がある。従来の電気窯では、同一の窯で還元炎を用いる方法と還元材を用いる方法の双方を実施することはできなかった。また、その二つの方法を併用した焼成を行なうこともできなかった。このため購入者は、どちらの還元方法を採用するかにより購入する炉を選択する必要があった。
【先行技術文献】
【特許文献】
【０００７】
【特許文献１】特開２００３−６５６８１号公報
【考案の開示】
【考案が解決しようとする課題】
【０００８】
本考案は、従来技術のこうした問題点を解決するためになされたもので、その課題は陶芸作品を焼成する陶芸用電気窯であって、酸化焼成に加え、バーナーの還元炎、還元材、その双方を併用する３種類の還元焼成を可能にする陶芸用電気窯を提供することにある。
【課題を解決するための手段】
【０００９】
前記課題を解決するための請求項１に記載の考案は、耐火断熱材にて囲った炉の内壁に装着した電熱線にて炉内を加熱する陶芸用電気窯であって、該炉の炉内底には断面矩形の凹状溝が炉外面まで直線状に形成してあり、該凹状溝には断面が溝の断面に等しく、長さが溝長さの約１／３である断熱ブロックが凹状溝の炉外への開口部を塞ぐ形で挿脱可能に挿入、載置されていることを特徴とする陶芸用電気窯ある。
【００１０】
このような構成によれば、酸化焼成が可能なことに加え、断熱ブロックを外してその開口から凹状溝の中央部に還元材である木炭等を装入して不完全燃焼させることにより炉内雰囲気を還元性することができる。焼成途中に木炭等を追加装入することも容易である。
【００１１】
また、請求項２に記載の考案は、請求項１に記載の陶芸用電気窯において、凹状溝の中央部には還元剤を入れる耐火材製のトレイが一方の開口部を通して挿入、載置されていることを特徴とする陶芸用電気窯である。
【００１２】
このような構成によれば、酸化焼成が可能なことに加え、断熱ブロックを外してその開口から還元剤を入れたトレイを凹状溝の中央部に装入して不完全燃焼させることにより炉内雰囲気を還元性することができる。焼成途中にトレイに還元剤を追加装入することも容易である。
【００１３】
また、請求項３に記載の考案は、請求項１又は２に記載の陶芸用電気窯において、断熱ブロックの一方には長手方向に貫通する貫通孔が形成してあり、炉外に設置したバーナーで発生させた還元炎を該貫通孔を通して炉内に導入できるように構成されていることを特徴とする陶芸用電気窯である。
【００１４】
このような構成によれば、バーナーで発生させた還元炎を任意な時に炉内に導入して還元焼成を行なうことができる。また、還元材である木炭等を凹状溝の中央部に装入して併用することも可能である。
【図面の簡単な説明】
【００１５】
【図１】本考案に係る陶芸用電気窯１の縦断面図である。
【図２】陶芸用電気窯１の炉底構造を示す斜視図である。
【図３】陶芸用電気窯１の炉底構造の分解斜視図である。
【図４】トレイ１５を凹状溝１０の中央部に挿入した状態の斜視図である。
【図５】陶芸品１７を棚板１６上に載置した状態図である。
【図６】バーナー２０の還元炎を炉内に導入する説明図である。
【図７】還元炎を用いる従来の電気窯の構成例である。
【考案を実施するための形態】
【００１６】
以下、本考案に係る陶芸用電気窯の一実施形態について図面を参照して説明する。図１はその陶芸用電気窯１の縦断面図、図２は炉底構造を示す斜視図、図３は炉底構造の分解斜視図である。炉内空間２は耐火断熱材で構築した炉側壁３、炉天井４、炉底５に囲まれて構成されている。前面側の炉側壁３は被焼成物である陶芸品の装入、取り出しのために開閉式になっており、炉外面は鉄板８で被われている。炉側壁３の内面側には電熱線７が取り付けてあり、図示しない電源装置から電流を流して炉内を加熱する。本実施形態の陶芸用電気窯１は炉内空間２の水平断面が矩形に構成されているが六角形、八角形等でもよい。
【００１７】
本陶芸用電気窯１の特徴はその炉底の構造にある。図２、図３に示すように、炉底は耐火レンガを２層に積み重ねて矩形状に構成してある。そして、炉内面側となる上層の耐火レンガは矩形状に２分割し、境界に隙間を設けて上層耐火レンガの上面を底面とする断面矩形の凹状溝１０が形成してある。凹状溝１０は直線状に炉外面まで延びている。その炉外への開口部を塞ぐため、凹状溝１０の両端部には断面が凹状溝１０の断面に等しく、長さが凹状溝１０の長さの約１／３である断熱ブロック１１、１２が炉外から挿脱可能に挿入、載置されている。図１は凹状溝１０の中心線を含む縦断面図である。
【００１８】
一方の断熱ブロック１２には、図３に示すように長手方向に貫通する断面円形の貫通孔１３が形成してあり、その貫通孔１３には断熱材製の丸棒１４が挿脱可能に挿入されている。断熱ブロック１１は炉外から挿脱可能であるため、取り外した状態で耐火材製のトレイ１５を凹状溝１０の中央部に図４に示すように挿入し、開口を再び断熱ブロック１１で塞いだ状態とすることもできる。
【００１９】
次に、このような構成の陶芸用電気窯１により陶芸品を焼成する方法について説明する。図５に示すように陶芸品１７は、炉底に棚板１６を設置してその上に載置する。棚板１６は炉底表面から離した状態に設置する。陶芸品１７を酸化焼成する場合は、図５に示すように凹状溝１０の炉外への開口部は断熱ブロック１１、１２で塞いだ状態とする。断熱ブロック１２の貫通孔１３は丸棒１４で塞いでおく。この状態で電熱線７に電源装置から電流を流して炉内を加熱し、焼成を行なう。炉内には大気中の酸素が存在して酸化雰囲気であるため酸化焼成が行なわれる。炉側壁３の上部には排気口１８が設けられているが、これは閉じておく。
【００２０】
次に、還元焼成の場合について説明する。還元焼成のためには炉内を還元性雰囲気にする必要がある。本構成の陶芸用電気窯１では、その方法として密閉した炉内で木炭を不完全燃焼させる方法、バーナーで発生させた還元炎を炉内に送って炉内酸素を消費させる方法、その双方を併用する方法の３種類が可能である。
【００２１】
木炭を不完全燃焼させる方法の場合は、図４に示すように耐火材製のトレイ１５に木炭を入れて凹状溝１０の中央部に挿入し、電気加熱の熱で不完全燃焼させる。炉側壁３の上部の排気口１８は閉じておく。焼成中に木炭が燃え尽きた場合はトレイ１５を取り出して木炭を補充して再挿入する。不完全燃焼により発生した一酸化炭素は炉内酸素を消費して雰囲気を還元性にする。なお、木炭の代わりにコークス等の他の還元材を使用してもよい。
【００２２】
バーナーの還元炎を使用する方法の場合は、図６に示すように断熱ブロック１２の貫通孔１３の開口外側にバーナー２０を設置し、バーナー２０で発生させた還元炎を貫通孔１３を通して炉内に送り込む。炉側壁３の上部の排気口１８は開いておく。還元炎はバーナー２０への酸素供給量を抑えて燃料を不完全燃焼させることで発生させることができる。炉内に送り込まれた還元炎は炉内酸素を消費して雰囲気を還元性にする。
【００２３】
木炭の不完全燃焼とバーナーの還元炎を併用する方法の場合は、木炭を裸のまま断熱ブロック１１の側から凹状溝１０の中央部に挿入し、その状態で図６に示したように断熱ブロック１２の貫通孔１３を通してバーナー２０の還元炎を送り込む。炉側壁３の上部の排気口１８は開いておく。焼成中に木炭が燃え尽きた場合は断熱ブロック１１側から木炭を補充する。木炭の不完全燃焼で発生する一酸化炭素と、酸素不足の還元炎とが炉内酸素を消費して雰囲気を還元性にする。
【００２４】
このように本実施形態の陶芸用電気窯１では一つの炉で酸化焼成と、３種類の方法による還元焼成を行なうことができる利点を有する。
【符号の説明】
【００２５】
図面中、１は陶芸用電気窯、１０は凹状溝、１１、１２は断熱ブロック、１３は貫通孔、１５はトレイ、２０はバーナーを示す。
【図１】
0003173519.tif 000003
【図２】
0003173519.tif 000004
【図３】
0003173519.tif 000005
【図４】
0003173519.tif 000006
【図５】
0003173519.tif 000007
【図６】
0003173519.tif 000008
【図７】
0003173519.tif 000009